(57)【要約】【課題】本来は容器として使用されており、容器の蓋を空けた状態での蓋を利用して、携帯端末の立てかけ用のスタンドとして使用できるようにした携帯端末用スタンド兼用容器を提供せんとする。【解決手段】容器本体１の周壁上端１１Ａに蓋２が着脱自在に冠着される容器において、容器本体１の対向する側壁１１，１１の後端部に基部３１が回動自在に軸支４されており、先部３２が蓋２の側辺２１の前方部と互いに回動自在に軸支５した前記容器内のステー３で構成する。前記ステー３を軸支４した前記側壁１１の前方部に前記蓋２の先端辺２２を係止して後傾状態で支持する係止凹部１５を設けた。【選択図】  図１
0003220252.tif 000002
【実用新案登録請求の範囲】
【請求項１】
容器本体の周壁上端に蓋が着脱自在に冠着される容器において、容器本体の対向する側壁の後端部に基部が回動自在に軸支されており、先部が前記蓋の側辺前方部と互いに回動自在に軸支されたステーを前記容器内に備え、前記ステーを軸支した前記側壁の前方部に前記蓋の先端辺を係止して後傾状態で支持する係止凹部を備えたことを特徴とする携帯端末用スタンド兼用容器。
【請求項２】
ステーが一枚板であることを特徴とする請求項１記載の携帯端末用スタンド兼用容器。
【請求項３】
側壁に立設したガード片を、蓋の外側に沿って蓋上面と同一高さに備えたことを特徴とする請求項１又は２記載の携帯端末用スタンド兼用容器。
【請求項４】
容器本体が母容器に重箱状態で積層されていることを特徴とする請求項１、２又は３記載の携帯端末用スタンド兼用容器。
【考案の詳細な説明】
【技術分野】
【０００１】
本考案は携帯端末用スタンドを兼用する容器に関するものである。
【背景技術】
【０００２】
携帯電話、スマートホン、タブレット型パソコン等の携帯端末は現代において必需品であり、携帯は勿論であるけれど可能な限り常時利用状態に置かれている。
通常は手で持って使用するものであるが、動画等の場合は何かに立てかけて観れば両手が使えて至便であり、不使用の時も身近に立てかけておけば即座に利用できるものとなる。
【０００３】
そこで、携帯端末を立てかけるための各種のスタンドが提案されている。
例えば、特開２０１４−６８３１２号公報には、基板の中央に二本の第一切り目を入れ、これら第一切り目の基端部間を結ぶ第一折り目を形成して携帯端末用支持板を設けると共に、この携帯端末用支持板の後半部中央に二本の第二切り目を入れ、これら第二切り目の基端部から相互に遠ざかる方向に前記携帯端末用支持板の外縁まで同一直線状とした第二折り目を形成して角度調節用支持板を設け、前記基板の前端に載置部を設けると共に、基板の後端寄りに複数段の係止部を設け、さらに前記角度調節用支持板の後端に係止体を設けたもの携帯端末用スタンドが開示されている。
【０００４】
また、実用新案登録第３０１１９８８号公報には、携帯端末用とは異なるが、水平面方向に広がる板状体前端の左右両側の箇所に、折曲することで上方へ突出する係止部を、肉薄部を介して連設し、額の下端を安定して係止できるようにするとともに、外周部側には、被設置部に接触する接地部を形成し、該接地部の内周部側に、引き起こし可能な凭れ部を、分離溝と肉薄部とを介して形成し、この凭れ部を上方に引き起こす凭れ部本体と、該凭れ部本体の内側に肉薄部を介して連設され、凭れ部本体を所定の凭れ角に支持する支持脚とで構成した額立てが開示されている。
【先行技術文献】
【特許文献】
【０００５】
【特許文献１】特開２０１４−６８３１２号公報
【特許文献２】実用新案登録第３０１１９８８号公報
【考案の概要】
【考案が解決しようとする課題】
【０００６】
上記の従来のスタンドは携帯端末や写真等の専用スタンドであり、家屋内に備えて使用するもので外出時に持ち運ぶことを意図したものでないこと、構成は一枚の板状に展開することができ、非常に嵩低くすることができ、また嵩低い状態から簡単に使用状態に組み立てることができることを目的としている。
【０００７】
そこで、本考案は、本来は容器としての使用目的ではあるけれど、容器の蓋を開いた状態での蓋を利用して、携帯端末の立てかけ用のスタンドとして使用できるようにした携帯端末用スタンド兼用容器を提供せんとするものである。
【課題を解決するための手段】
【０００８】
本考案の携帯端末用スタンド兼用容器の請求項１の考案は、容器本体の周壁上端に蓋が着脱自在に冠着される容器において、容器本体の対向する側壁の後端部に基部が回動自在に軸支されており、先部が前記蓋の側辺前方部と互いに回動自在に軸支されたステーを前記容器内に備え、前記ステーを軸支した前記側壁の前方部に前記蓋の先端辺を係止して後傾状態で支持する係止凹部を備えたことを特徴とするものである。
【０００９】
本考案の携帯端末用スタンド兼用容器の請求項２の考案は、請求項１記載の考案において、ステーが一枚板であることを特徴とするものである。
【００１０】
本考案の携帯端末用スタンド兼用容器の請求項３の考案は、請求項１又は２記載の考案において、側壁に立設したガード片を、蓋の外側に沿って蓋上面と同一高さに備えたことを特徴とするものである。
【００１１】
本考案の携帯端末用スタンド兼用容器の請求項４の考案は、請求項１、２又は３記載の考案において、容器本体が母容器に重箱状態で積層されていることを特徴とするものである。
【考案の効果】
【００１２】
請求項１の考案は、容器本体の周壁上端に蓋が着脱自在に冠着される容器において、容器本体の対向する側壁の後端部に基部が回動自在に軸支されており、先部が前記蓋の側辺前方部と互いに回動自在に軸支したステーを前記容器内に備えた構成であるため、蓋をステーの回動可能な後方上方へ揚げていけば容器本体の上面が開放され、容器本体内の収容物を取り出すことができる。
【００１３】
そして、そのままステーを容器本体の後方まで回動すれば、ステーの先部と蓋の側辺前方部とが回動自在に軸支されているため、蓋は容器本体の後方に自重で垂下し、容器本体の上面を解放状態として置くこともできる。
【００１４】
また、前記ステーを軸支した前記側壁の前方部に前記蓋の先端辺を係止して後傾状態で支持する係止凹部を備えているため、蓋を後へ開くことなく、蓋の後部を揚げて蓋の先端辺を係止凹部へ挿入して係止することで、ステーによる蓋後面の支持と相俟って容器本体の前面側に蓋表面を後傾状態として支持することができる。
【００１５】
したがって、この後傾の蓋表面をスタンド面とし、携帯端末下端を容器本体の前壁に係止して載置することで、安定した状態で携帯端末を支承して使用又は待機できる状態を維持できる効果を発揮するのであり、携帯端末を容器の蓋に立てかけて置くと同時に、その使用者の手が自由に使える状態に開放し、容器の用途に関連した行為を遂行できる効果を有するのである。
また、蓋の表面が背景となるため、表面の意匠装飾も利用した相乗効果を得られものとなる。
【００１６】
請求項２の考案は、請求項１記載の効果に加えて、ステーが一枚板であるため蓋及び携帯端末を支持するのに充分な強度を備え、且つ維持できる効果を有し、蓋を伴った回動も安定して行える効果も発揮する。
【００１７】
請求項３の考案は、請求項１又は２記載の効果に加えて、側壁に立設したガード片を蓋の外側に沿って備えたことで、蓋冠着時及びスタンド作用時の蓋の横ずれを阻止して安定度を増す効果を有する。
また、ガード片と蓋上面と同一高さに備えることで蓋を冠着している時の見栄えを良くする効果もある。
【００１８】
請求項４の考案は、請求項１、２又は３記載の効果に加えて、容器本体が母容器に重箱状態で積層される構成としたため、例えば弁当箱のような容器において、箸やホーク・スプーン等を収容する最上部の容器として使用でき、手が塞がった食事中も携帯端末を身近に設置して利用が至便となる効果を発揮する。
【図面の簡単な説明】
【００１９】
【図１】本考案の一実施の形態を示す開蓋時の斜視図である。
【図２】図１の縦断側面図である。
【図３】図１の携帯端末のスタンド利用時の斜視図である。
【図４】図３の縦断側面図である。
【図５】他の実施の形態を示す縦断側面図である。
【考案を実施するための形態】
【００２０】
本考案の実施の形態を図面に基づいて説明する。
図１は本考案の携帯端末用スタンド兼用容器の一実施の形態で、筆入れを例に示した斜視図であり、図２は同縦断側面図である。
【００２１】
図面の筆入れは扁平な直方体の容器形態を成し、容器本体１、蓋２及び容器内に備えたステー３で構成されている。
容器本体１の周壁１１，１２，１３の上端に蓋２が着脱自在に冠着されることは当然であり、冠着時には容器本体１との係止手段が適宜に設けられる。
【００２２】
ステー３は、容器本体１の対向する側壁１１，１１の後端部に基部３１が回動自在に軸支４，４されており、一方、先部３２は蓋２の側辺２１の中間より前側である前方部２１Ａと互いに回動自在に軸支５，５されている。
したがって、蓋２はステー３の回動に従動すると共に、ステー３の前方側又は後方側へ位置すべくステー３に対して回動できることとなる。
【００２３】
ステー３は一枚板であり、容器本体１の内部平面及び蓋２の裏面より狭小の縦横幅で、容器本体１内及び蓋２の裏面に支障なく存在できる。
側壁１１，１１との回動自在の軸支４，４、及び蓋２との互いに回動自在の軸支５，５は、ステー３の該当部から突設した各丸軸を、側壁１１，１１又は蓋２の軸受片に形成した軸受穴へ緩挿することによって構成されている。
【００２４】
また、ステー３と軸支４，４した容器本体１の側壁１１，１１の前方部に、蓋２の先端辺２２を係止して後傾状態で支持する係止凹部１５が形成されている。
蓋２の先端辺２２を当該係止凹部１５へ挿入して係止することで、ステー３は蓋２の後面を支持し容器本体１の前面側に蓋２の表面を後傾状態で支持するものである。
【００２５】
また、容器本体１の側壁１１，１１の上端１１Ａから立設したガード片１４，１４が冠着した蓋２の外側に沿って蓋上面と同一高さに形成され、また、側壁１１，１１と下端より一体に形成されている。
蓋２の冠着時及びスタンド作用時の蓋２の横ずれを阻止して安定度を増す作用を奏し、また、側壁１１と一体に形成することで、本体側壁部分が身厚となり、前記軸支４における軸受部の形成に充分な強度を得ることができる。
【００２６】
尚、図中３３は後方への回動を安定位置で制御する屈曲部で、後壁１３に当たると同時に容器本体１の後壁１３の上端面に係止する。
また、容器本体１内には筆入れとしての仕切１６が設けられており、蓋２の容器本体１への冠着時に、仕切１６の後面突起部にステー３の先部３２が当圧して係止手段を構成する。
【００２７】
そこで、容器本体１の蓋２をステー３の回動可能な後上方へ揚げていけば容器本体１の上面が開放され、更にステー３を容器本体１の後方まで回動すると、ステー３の先部３２と蓋２の側辺２１の前方部とが回動自在に軸支５されているため、蓋２は容器本体１の後方に自重で垂下し、容器本体１の上面を解放状態のまま置くこともでき、容器本体１内の筆等を取り出して使用することができる。
【００２８】
また、前記のように蓋２をステー３と共に回動して開いて置くことなく、蓋２の後部２３を揚げて蓋２の先端辺２２を容器本体１の側壁１１の前方に設けた係止凹部１５へ挿入して係止することで、ステー３による蓋裏面の支持と相俟って容器本体１の前面側に蓋２の表面を後傾状態として支持することができる。
【００２９】
したがって、この後傾状態の蓋表面をスタンド面とし、携帯端末７の下端を容器本体１の前壁１２に係止して載せて置くことで、安定した状態で携帯端末を支承して置けるため身近で待機・使用ができるのであり、容器本体である筆入れの利用目的も支障なく行える作用を奏する（図３、図４）。
【００３０】
図５は他の実施の形態を示す縦断側面図であり、例えば弁当箱のように容器本体１が母容器６に重箱状態で積層される例を示している。
容器本体１には箸、ホーク・スプーン、手拭き布等の非食用品に利用することが可能である。
容器本体１を母容器６から分離して独立状態で身近に置いてスタンドを形成して携帯端末を立てかけ、自由と成った両手で母容器６内の弁当料理を食することができるのである。
図５において、容器本体及び構成部材並びに構造は図１乃至４と実質同一であり、同一の該当部には同一の符号を付してある。
【００３１】
以上説明した本考案の技術的範囲は、上記の実施の形態例に限定されるものではなく、本明細書及び図面に記載した事項から明らかになる本考案が真に意図する技術的思想の範囲全体に、広く及ぶものである。
【符号の説明】
【００３２】
１      容器本体
１１    側壁
１２    前壁
１３    後壁
１４    ガード片
１５    係止凹部
２      蓋
２１    側辺
２２    先端辺
３      ステー
３１    基部
３２    先部
４，５  軸支
６      母容器
７      携帯端末
【図１】
0003220252.tif 000003
【図２】
0003220252.tif 000004
【図３】
0003220252.tif 000005
【図４】
0003220252.tif 000006
【図５】
0003220252.tif 000007